(57)【要約】【課題】ユーザ毎に、該当ユーザが意図した分析結果を得る。【解決手段】テキストに含まれるそれぞれ意味を有する文字列からなる複数の概念３を登録する概念親辞書１４と、概念親辞書に含まれる各概念３を、各ユーザにて操作入力された該当ユーザが有する基準に従って複数のレベルに分類して、各概念３と該当概念にレベル分類された分類内容４との対応を表すユーザ毎の概念定義子辞書１５を作成する概念定義子辞書作成手段１３と、ユーザにて指定された分析対象のテキスト１９を入力するテキスト入力手段３８と、入力された分析対象のテキストに含まれる概念の分類内容をユーザにて指定された記録手段に記録された概念定義子辞書から検索する分類内容検索手段３９と、検索された分類内容を入力されたテキストに対する分析結果２１として出力する分析結果出力手段４０とを備えている。【選択図】    図１
2004272683.tif 000002
【特許請求の範囲】
【請求項１】
入力されたテキストの内容を分析するテキスト分析方法において、
１つ又は複数のテキストに含まれるそれぞれ意味を有する文字列からなる複数の概念を登録する概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成工程と、
ユーザにて指定された分析対象のテキストを入力するテキスト入力工程と、
このテキスト入力手段で入力された分析対象のテキストに含まれる前記概念の分類内容を前記ユーザにて指定された記録手段に記録された概念定義子辞書から検索する分類内容検索工程と、
この分類内容検索工程で検索された分類内容を前記入力されたテキストに対する分析結果として出力する分析結果出力工程と
を備えたテキスト分析方法。
【請求項２】
入力されたテキストの内容を分析するテキスト分析プログラムにおいて、
コンピュータに、
１つ又は複数のテキストに含まれるそれぞれ意味を有する文字列からなる複数の概念を登録する概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成手順と、
ユーザにて指定された分析対象のテキストを入力するテキスト入力手順と、
このテキスト入力手段で入力された分析対象のテキストに含まれる前記概念の分類内容を前記ユーザにて指定された記録手段に記録された概念定義子辞書から検索する分類内容検索手順と、
この分類内容検索手順で検索された分類内容を前記入力されたテキストに対する分析結果として出力する分析結果出力手順と
を実行させるためのテキスト分析プログラム。
【請求項３】
入力されたテキストの内容を分析するテキスト分析システムにおいて、
１つ又は複数のテキストに含まれるそれぞれ意味を有する文字列からなる複数の概念を登録する概念親辞書と、
前記概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成手段と、
ユーザにて指定された分析対象のテキストを入力するテキスト入力手段と、
このテキスト入力手段で入力された分析対象のテキストに含まれる前記概念の分類内容を前記ユーザにて指定された記録手段に記録された概念定義子辞書から検索する分類内容検索手段と、
この分類内容検索手段で検索された分類内容を前記入力されたテキストに対する分析結果として出力する分析結果出力手段と
を備えたテキスト分析システム。
【請求項４】
前記概念定義子辞書作成手段は、
表示器に概念定義子辞書作成画面を表示出力する作成画面表示出力手段と、
前記概念親辞書に含まれる各概念を前記概念定義子辞書作成画面上に表示出力する概念表示出力手段と、
ユーザが画面上で指定した概念を選択する概念選択手段と、
この選択した概念に対してユーザが画面上で指定した分類内容を対応付ける対応付手段と
を有することを特徴とする請求項３記載のテキスト分析システム。
【請求項５】
入力されたテキストの内容を分析するテキスト分析システムにおいて、
１つ又は複数のテキストに含まれるそれぞれ意味を有する文字列からなる複数の概念を登録する概念親辞書と、
前記概念親辞書に含まれる各概念を、各ユーザ端末から通信ネットワークを介して入力された該当ユーザが有する基準に従って複数のレベルに分類して、各概念と該当概念にレベル分類された分類内容との対応を表すユーザ毎の概念定義子辞書を作成する概念定義子辞書作成手段と、
ユーザ端末から通信ネットワークを介して分析対象のテキストを入力するテキスト入力手段と、
このテキスト入力手段で入力された分析対象のテキストに含まれる前記概念の分類内容を前記ユーザにて指定された記録手段に記録された概念定義子辞書から検索する分類内容検索手段と、
この分類内容検索手段で検索された分類内容を前記入力されたテキストに対する分析結果として前記通信ネットワークを介して前記ユーザ端末へ送信する分析結果出力手段と
を備えたテキスト分析システム。
【発明の詳細な説明】
【０００１】
【発明の属する技術分野】
本発明は、入力されたテキストの内容を分析するテキスト分析技術に係わり、特にテキストマイニング技術を用いたテキスト分析方法、テキスト分析プログラム、及びテキスト分析システムに関する。
【０００２】
【従来の技術】
企業や団体においては、例えば報告書の形態で夥しい量の文書が電子データの状態、又は紙に印字された状態で行き交っている。各担当者は自己宛の夥しい量の文書を読んで内容を把握する必要がある。しかし、各文書を読んで内容を把握するには大変な時間と労力とが必要である。各文書のなかには、内容を詳細に検討する必要のある文書の他に、日々の営業報告のようにとりあえず短時間でその概要又は傾向を把握しておき、後でまとめて詳細を検討すればよい文書もある。
【０００３】
短時間で、各文書に記載された内容を自動的に分析する手法として、テキストマイニング（文書発掘）技術が提唱されている。
【０００４】
このテキストマイニング技術とは、テキスト情報を元に文脈を理解し情報の要約・分類・検索を行う技術や、テキスト情報から知識を抽出する技術や、テキストで記述されている情報（定性情報）を数量（定量情報）化する技術であり、広義にはテキストマイニング結果の分析を行う技術でもある（特許文献１参照）。
【０００５】
図１５は、テキストマイニング技術を採用したテキスト分析システムの基本構成を示す模式図である。
【０００６】
このテキスト分析システム１内には、図１６に示す概念定義辞書２が組込まれている。記録手段２ａ内に形成された概念定義辞書２内には、１つ又は複数のテキストに含まれるそれぞれ意味を有する文字列からなる複数の概念３に対して、この概念３を一定の基準に従って複数のレベルに分類した場合における分類内容４が記憶されている。
【０００７】
例えば、概念番号Ｇ００１の「一歩リード」の概念３に対して「良い」の分類内容４が設定されている。また、概念番号Ｇ００８の「回転は遅」の概念３に対して「悪い」の分類内容４が設定されている。
【０００８】
図１５のテキスト分析システム１において、入力部５に概念定義辞書２及び分析対象のテキスト（文書）６が入力される。次に、情報抽出部７により、分析対象のテキスト（文書）６内における概念定義辞書２に登録されている各概念３が抽出される。情報抽出部７により抽出された各概念３及びこの各概念３に対応する各分類内容４が、出力部８から分析結果９として出力される。
【０００９】
したがって、このテキスト分析システム１のユーザ（担当者）は、このテキスト（文書）６を読まなくても、簡単にこのテキスト（文書）６の概要や傾向を把握できる。
【００１０】
【特許文献１】
特開２００１―１４７９３７号公報
【００１１】
【発明が解決しようとする課題】
しかしながら、図１５に示すテキスト分析システム１においてもまだ改良すべき次のような課題があった。
【００１２】
すなわち、このテキスト分析システム１を複数のユーザ（担当者）に使用される場合が多い。全てのユーザ（担当者）が同一業務を行っているわけではなく、かつ、扱う文書（テキスト）の種類も大きく異なる場合がある。さらに、全てのユーザ（担当者）が前述した各概念３に対して同一レベルの分類内容４を認識しているとは限らない。すなわち、同一の概念３に対して、ユーザ（担当者）毎に異なるレベルの分類内容４の設定が要求されている。
【００１３】
しかしながら、このテキスト分析システム１内には一つの概念定義辞書２しか設定されていない。したがって、このテキスト分析システム１を複数のユーザ（担当者）で使用する場合に、全てのユーザ（担当者）に対して満足のいく分析結果を提供できなかった。
【００１４】
本発明はこのような事情に鑑みてなされたものであり、ユーザにとって簡単な操作で自己専用の概念定義辞書をシステム内に設定でき、入力された各ユーザのテキストに対して該当ユーザが意図する分析を実施でき、多くのユーザに対応可能なテキスト分析方法、テキスト分析プログラム、及びテキスト分析システムを提供することを目的とする。
【００１５】
【課題を解決するための手段】
上記課題を解消するために、本発明の入力されたテキストの内容を分析するテキスト分析方法においては、１つ又は複数のテキストに含まれるそれぞれ意味を有する文字列からなる複数の概念を登録する概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成工程と、ユーザにて指定された分析対象のテキストを入力するテキスト入力工程と、このテキスト入力手段で入力された分析対象のテキストに含まれる概念の分類内容をユーザにて指定された記録手段に記録された概念定義子辞書から検索する分類内容検索工程と、この分類内容検索工程で検索された分類内容を入力されたテキストに対する分析結果として出力する分析結果出力工程とを備えている。
【００１６】
このように構成されたテキスト分析方法においては、１つ又は複数のテキストに含まれる複数の概念を登録する全てのユーザに共通する概念親辞書が設けられている。そして、各ユーザは、概念親辞書の各概念に対して自己が妥当と考えるレベルの分類内容を対応付けることにより、自己専用の概念定義辞書としての概念定義子辞書を作成可能である。
【００１７】
そして、各ユーザは、自己の分析対象のテキストを分析するに際して、この分析に自己専用の概念定義子辞書を用いることによって、自己の分析対象のテキストに含まれる概念が、自己が指定したレベルの分類内容と判定されるので、自己が意図した分析結果が得られる。
このように、ユーザ毎に専用の概念定義子辞書を作成しているので、多くのユーザに対応可能となる。
【００１８】
また、別の発明は、入力されたテキストの内容を分析するテキスト分析プログラムである。そして、このテキスト分析プログラムは、コンピュータに、１つ又は複数のテキストに含まれるそれぞれ意味を有する文字列からなる複数の概念を登録する概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成手順と、ユーザにて指定された分析対象のテキストを入力するテキスト入力手順と、このテキスト入力手段で入力された分析対象のテキストに含まれる概念の分類内容をユーザにて指定された記録手段に記録された概念定義子辞書から検索する分類内容検索手順と、この分類内容検索手順で検索された分類内容を入力されたテキストに対する分析結果として出力する分析結果出力手順とを実行させる。
【００１９】
このように構成されたテキスト分析プログラムにおいても、ユーザ毎に専用の概念定義子辞書を作成しているので、各ユーザが意図した分析結果が得られる。よって、上述した発明とほぼ同様の作用効果を奏することが可能である。
【００２０】
また、別の発明は、入力されたテキストの内容を分析するテキスト分析システムである。そして、このテキスト分析システムは、１つ又は複数のテキストに含まれるそれぞれ意味を有する文字列からなる複数の概念を登録する概念親辞書と、概念親辞書に含まれる各概念を、各ユーザにて操作入力された該当ユーザが有する基準に従って複数のレベルに分類して、各概念と該当概念にレベル分類された分類内容との対応を表すユーザ毎の概念定義子辞書を作成する概念定義子辞書作成手段と、ユーザにて指定された分析対象のテキストを入力するテキスト入力手段と、このテキスト入力手段で入力された分析対象のテキストに含まれる概念の分類内容をユーザにて指定された記録手段に記録された概念定義子辞書から検索する分類内容検索手段と、この分類内容検索手段で検索された分類内容を入力されたテキストに対する分析結果として出力する分析結果出力手段とを備えている。
【００２１】
このように構成されたテキスト分析システムにおいても、ユーザ毎に専用の概念定義子辞書を作成しているので、各ユーザが意図した分析結果が得られる。よって、上述した発明とほぼ同様の作用効果を奏することが可能である。
【００２２】
さらに、別の発明は、上述した発明のテキスト分析システムにおける概念定義子辞書作成手段は、表示器に概念定義子辞書作成画面を表示出力する作成画面表示出力手段と、概念親辞書に含まれる各概念を概念定義子辞書作成画面上に表示出力する概念表示出力手段と、ユーザが画面上で指定した概念を選択する概念選択手段と、この選択した概念に対してユーザが画面上で指定した分類内容を対応付ける対応付手段とを備えている。
【００２３】
このように構成されたテキスト分析システムにおいては、テキスト分析システムの表示器上に表示された概念定義子辞書作成画面に各概念が表示さるので、ユーザは、この概念定義子辞書作成画面上で、ＧＵＩ（Ｇｒａｐｈｉｃａｌ  Ｕｓｅｒ  Ｉｎｔｅｒｆａｃｅ）手法を用いて、各概念に対して自己が指定するレベルの分類内容を対応させた自己専用の概念定義子辞書を作成できる。
【００２４】
したがって、たとえテキストマイニング技術を有する技術者でない通常のユーザ（担当者）であっても、簡単に概念定義子辞書の内容を編集することが可能となりテキスト分析システムの操作性を向上できる。
【００２５】
さらに、別の発明の入力されたテキストの内容を分析するテキスト分析システムにおいては、１つ又は複数のテキストに含まれるそれぞれ意味を有する文字列からなる複数の概念を登録する概念親辞書と、概念親辞書に含まれる各概念を、各ユーザ端末から通信ネットワークを介して入力された該当ユーザが有する基準に従って複数のレベルに分類して、各概念と該当概念にレベル分類された分類内容との対応を表すユーザ毎の概念定義子辞書を作成する概念定義子辞書作成手段と、ユーザ端末から通信ネットワークを介して分析対象のテキストを入力するテキスト入力手段と、このテキスト入力手段で入力された分析対象のテキストに含まれる概念の分類内容をユーザにて指定された記録手段に記録された概念定義子辞書から検索する分類内容検索手段と、この分類内容検索手段で検索された分類内容を入力されたテキストに対する分析結果として通信ネットワークを介してユーザ端末へ送信する分析結果出力手段とを備えている。
【００２６】
このように構成されたテキスト分析システムにおいても、ユーザ毎に専用の概念定義子辞書を作成しているので、各ユーザが意図した分析結果が得られる。よって、上述した各発明とほぼ同様の作用効果を奏することが可能である。
【００２７】
さらに、この発明においては、各ユーザは、自己のユーザ端末から通信ネットワークを介して、自己の概念定義子辞書の作成、及び自己の分析対象のテキストの入力ができ、かつ分析結果を、通信ネットワークを介して自己のユーザ端末へ送信させて、自己のユーザ端末で確認できる。
【００２８】
【発明の実施の形態】
以下、本発明の各実施形態を図面を用いて説明する。
（第１実施形態）
図１は本発明の第１実施形態に係るテキスト分析方法、及びテキスト分析プログラムが適用されるテキスト分析システムの概略構成を示すブロック図である。
【００２９】
このテキスト分析システム１０は、コンピュータからなる一種の情報処理装置で構成されており、機能的に大きく分けて、概念定義辞書作成装置１１とテキスト分析装置１２とで構成されている。
【００３０】
さらに、概念定義辞書作成装置１１内には、概念定義子辞書作成部１３、例えばＨＤＤ等の補助記憶装置における各記録手段１４ａ、１５ａ、１６ａ内それぞれ形成された、複数の概念親辞書１４、概念定義子辞書作成部１３で作成された各ユーザに対応した複数の概念定義子辞書１５、概念定義子辞書リスト１６が設けられている。
【００３１】
また、テキスト分析装置１２内には、概念定義分析辞書作成部１７、この概念定義分析辞書作成部１７で作成された概念定義分析辞書１８、ユーザが入力した分析対処のテキスト１９を記録手段１８ａ内に形成された概念定義分析辞書１８を用いて分析して分析結果２１を出力するテキストマイニング実行部２０が設けられている。
【００３２】
このテキスト分析装置１２内には、概念定義辞書作成装置１１と共有する形で、複数の概念親辞書１４、複数の概念定義子辞書１５、概念定義子辞書リスト１６が設けられている。
【００３３】
概念親辞書１４内には、図２に示すように、１つ又は複数のテキストに含まれるそれぞれ意味を有する文字列からなる複数の概念３が、概念番号が付された状態で記憶されている。この概念親辞書１４は例えばテキストの種別（業務の種別）毎に複数設けられている。そして、各概念親辞書１４はこのテキスト分析システム１０を使用する全てのユーザに共通の概念親辞書１４である。
【００３４】
各概念定義子辞書１５はユーザ毎に設けられている。各概念定義子辞書１５内には、図３に示すように、前述した概念親辞書１４に登録された各概念４を特定する概念番号毎に、各ユーザにて操作入力された該当ユーザが有する基準に従って複数のレベルに分類された場合における分類内容４が分類番号を付した状態で設定されている。
【００３５】
例えば、このユーザの概念定義子辞書１５内には、概念親辞書１４に登録された概念番号Ｇ００１の「一歩リード」の概念３に対して分類番号Ｎ００１の「良い」の分類内容４が設定されている。また、概念番号Ｇ００８の「回転は遅」の概念３に対して「悪い」の分類内容４が設定されている。
【００３６】
概念定義子辞書リスト１６内には、図４に示すように、各概念定義子辞書１５の概念定義子辞書名３７毎に、該当概念定義子辞書１５を作成するときに採用した概念３が登録されている元となった１個又は複数の概念親辞書１４の概念親辞書名３１が登録されている。
【００３７】
さらに、概念定義分析辞書１８内には、図５に示すように、分析対象テキスト１９を分析しようとするユーザの概念定義子辞書１５と、この概念定義子辞書１５の元となった１個又は複数の概念親辞書１４とを合成した、概念３と分類内容４との対応が、概念番号と分類番号が付された状態で記憶される。
【００３８】
なお、この概念定義分析辞書１８は、原則として、ユーザが新規に分析対象のテキスト１９を分析するに先だって、概念定義分析辞書作成部１７で自動的に作成される。
【００３９】
概念定義辞書作成装置１１の概念定義子辞書作成部１３内には、例えば、アプリケーションプログラム上に形成された、概念親辞書指定部２２、入力部２３、表示部２４、選択部２５、登録部２６、概念定義子辞書生成部２７が設けられている。
【００４０】
概念定義子辞書作成部１３の各部２２〜２７は、図６の流れ図に従って、各ユーザ指定する概念定義子辞書１５の作成処理を実施する。
【００４１】
最初に、概念親辞書指定部２２が起動して、図示しない表示器に図７に示す概念定義子辞書作成画面３０を表示出力する。この概念定義子辞書作成画面３０内には、ユーザが指定する概念親辞書１４の概念親辞書名３１の入力領域、指定ボタン３２、指定された概念親辞書１４の各概念３の表示領域３３、追加項目３４、分類内容指定領域３５、登録ボタン３６等が表示される。
【００４２】
そして、ユーザにて、プルダウンメニュー方式で概念親辞書１４の概念親辞書名３１の入力領域に概念親辞書名３１の指定が行われ、指定ボタン３２が押下されると（Ｓ１）、入力部２３が起動して、指定された概念親辞書１４を取込む。さらに、表示部２４が起動して、取込まれた概念親辞書１４の各概念３を、図８に示すように、表示領域３３に表示出力する（Ｓ２）。
【００４３】
次に、選択部２５が起動して、ユーザにてマウスで、自己の概念定義子辞書１５に採用する概念３に対応する追加項目３４がクリックされ、さらに、該当概念３の分類内容４がプルダウンメニュー方式で、分類内容指定領域３５内に書込まれる（Ｓ３）。例えば概念親辞書１４の「一歩リード」の概念３の場合、追加項目３４にチェックがつけられ、分類内容４として「良い」が選択されている。
【００４４】
なお、概念親辞書１４の指定はプルダウンメニュー方式によらず、ファイル名の指定、ファイル所在のパスの入力、などによって行われてもよい。さらに、分類内容４の指定はプルダウンメニュー方式によらず、分類内容名の入力などによって行われてもよい。
【００４５】
自己の概念定義子辞書１５に採用する全ての概念３の選択が終了して、登録ボタン３６が押されると、登録部２６が起動して、選択した各概念３及び対応する分類内容４を新規の概念定義子辞書１５に登録する（Ｓ４）。
なお、複数の概念親辞書１４に亘って各概念３を選択すること可能である。
【００４６】
そして、概念定義子辞書生成部２７が起動して、今回新規に作成した概念定義子辞書１５に概念定義子辞書名３７を付して、概念定義子辞書名３７及びこの作成に使用した１個又は複数の概念親辞書１４の概念親辞書名３１を図４に示す概念定義子辞書リスト１６へ新規に登録する（Ｓ５）。さらに、図９に示すように、今回新規に作成した概念定義子辞書１５の概念定義子辞書名３７を概念定義子辞書作成画面３０内に表示して、ユーザに告知する（Ｓ６）。図９においては、では「登録されました！概念定義子辞書名：ｋｏｄｉｃ１．ｄｉｃ」が表示される。
【００４７】
このように、概念定義子辞書作成部１３によって、このテキスト分析システム１０を使用するユーザ毎に概念定義子辞書１５が作成されてＨＤＤ等の補助記憶装置に記憶保持される。
【００４８】
次に、テキスト分析装置１２の詳細構成及び動作を説明する。
概念定義分析辞書作成部１７内には、例えば、アプリケーションプログラム上に形成された、概念親／子辞書指定部２８及び概念定義分析辞書合成部２９が設けられている。さらに、テキストマイニング実行部２０内には、例えば、アプリケーションプログラム上に形成された、入力部３８、情報抽出部３９、出力部４０が設けられている。
【００４９】
そして、テキスト分析装置１２内の各部２８、２９、３８、３９、４０は図１０の流れ図に従って、ユーザが指定した分析対象のテキスト１９に対する分析処理を実施する。
【００５０】
最初に、概念親／子辞書指定部２８が起動して、図示しない表示器に図１１に示すテキストマイニング実行画面４１を表示出力する。ユーザが分析対象のテキスト１９のテキスト名１９ａと分析に用いる自己の概念定義子辞書１５の概念定義子辞書名３７を画面に入力し（Ｑ１）、実行ボタン４２を押下することにより、処理が開始される。
【００５１】
処理が開始されると、概念定義分析辞書合成部２９が起動して、図４に示す概念定義子辞書リスト１６におけるユーザにて指定された概念定義子辞書１５及び対応する各概念親辞書１４をＨＤＤから読出して合成して、図５に示す概念定義分析辞書１８を作成して、テキストマイニング実行部２０へ転送する（Ｑ２）。
【００５２】
テキストマイニング実行部２０の入力部３８は、図１２に示すユーザが指定した分析対象のテキスト１９と概念定義分析辞書１８とを取込む。次に、情報抽出部３９により、分析対象のテキスト１９内における概念定義分析辞書１８に設定されている各概念３が抽出される（Ｑ３）。情報抽出部３９により抽出された各概念３及びこの各概念３に対応する各分類内容４が、出力部４０から図１３に示す分析結果２１として出力される（Ｑ４）。
【００５３】
例えば、図１２に示す分析対象のテキスト１９におけるＴ００１のテキスト番号のテキスト内容に「ＰＯＳは順調」という表現がある。この「ＰＯＳは順調」という表現は、図５に示す概念定義分析辞書１８内に概念３として存在する。この概念３には「普通」の分類内容４が設定されている。そこで、「ＰＯＳは順調」という概念３に該当する「概念番号―分類番号」、つまり「Ｇ００９―Ｎ００２」が、図１３の分析結果２１内におけるＴ００１のテキスト番号における分析結果番号として抽出される。
【００５４】
このように構成された第１実施形態のテキスト分析システム１０においては、このテキスト分析システム１０を初めて使用しようとするユーザは、自己の分析対象のテキスト１９に対する分析をテキスト分析装置１２で実施する前に、概念定義辞書作成装置１１を用いて、各ユーザに共通する概念親辞書１４を基にして自己の概念定義子辞書１５を作成する。
【００５５】
一旦、自己の概念定義子辞書１５が作成されると、ユーザが自己の分析対象のテキスト１９に対する分析をテキスト分析装置１２で開始すると、自己の概念定義子辞書１５と概念親辞書１４から概念定義分析辞書１８が自動的に作成されて、この概念定義分析辞書１８を用いて、分析対象のテキスト１９が自動的に分析される。
【００５６】
このように、各ユーザは、概念親辞書１４の各概念３に対して自己が妥当と考えるレベルの分類内容４を対応付けることにより、自己専用の概念定義辞書としての概念定義子辞書１５を作成可能である。そして、各ユーザは、自己の分析対象のテキスト１９を分析するに際して、この分析に自己専用の概念定義子辞書１５の内容を記述した概念定義分析辞書１８を用いることによって、自己のテキストに含まれる概念３が、自己が指定したレベルの分類内容４と判定されるので、自己が意図した分析結果２１が得られる。このように、ユーザ毎に専用の概念定義子辞書１５を作成しているので、多くのユーザに対応可能となる。
【００５７】
また、テキスト分析システム１０の表示器上に概念定義子辞書作成画面３０を表示し、ユーザは、この概念定義子辞書作成画面３０上で、ＧＵＩ手法を用いて、各概念３に対して自己が指定するレベルの分類内容４を対応させた自己専用の概念定義子辞書１５を作成できる。したがって、たとえテキストマイニング技術を有する技術者でない通常のユーザ（担当者）であっても、簡単に自己の概念定義子辞書１５を作成することが可能となりテキスト分析システム１０の操作性を向上できる。
【００５８】
なお、上述した実施形態システムにおいては、図３に示すように、概念定義子辞書１５内には、概念３を特定する各概念番号に対して、対応する分類内容４及び分類を設定した。しかし、概念３自体に対して、対応する分類内容４及び分類を設定することも可能である。
【００５９】
このように、概念定義子辞書１５内に概念３自体と対応する分類内容４とを設定することによって、テキスト分析装置１２における概念定義分析辞書１８を作成することなく、概念定義分析辞書１８の代りに、概念３と対応する分類内容４とが設定された概念定義子辞書１５を用いて、分析対象のテキスト１９を自動的に分析可能である。この場合、概念定義子辞書リスト１６、及び概念定義分析辞書作成部１７も不要である。
【００６０】
（第２実施形態）
図１４は本発明の第２実施形態のテキスト分析システムが組込まれた通信システムを示す模式図である。
第２実施形態のテキスト分析システム５０はインターネット５１に接続されている。このテキスト分析システム５０の各ユーザは、自己のユーザ端末５２で、インターネット５１を介して、テキスト分析システム５０に対してアクセスが可能である。
【００６１】
具体的には、ユーザは自己のユーザ端末５２から、自己の概念定義子辞書１５の作成要求をテキスト分析システム５０へ送信すると、概念定義子辞書作成部１３が図７に示す概念定義子辞書作成画面３０を要求元のユーザ端末５２へ送信する。ユーザは自己のユーザ端末５２の表示器に表示された概念定義子辞書作成画面３０を用いて、自己の概念定義子辞書１５をテキスト分析システム５０内に作成する。
【００６２】
ユーザが、自己の概念定義子辞書１５の作成が終了し、分析対象のテキスト１９を自己のユーザ端末５２からテキスト分析システム５０へ送信すると、テキスト分析装置１２から図１１に示すテキストマイニング実行画面４１が送信されてくる。ユーザは自己のユーザ端末５２の表示器に表示されたテキストマイニング実行画面４１を用いて、分析対象のテキスト名１９ａ、自己の概念定義子辞書名３７を入力すると、テキスト分析システム５０へ送信した分析対象のテキスト１９に対して、自動的に分析が実施され、分析結果２１が自己のユーザ端末５２へ送信されてくる。
【００６３】
このように構成された第２実施形態のテキスト分析システム５０においては、各ユーザは、自己のユーザ端末５２から通信ネットワークとしてのインターネット５１を介して、自己の概念定義子辞書１５の作成、自己の分析対象のテキスト１９の入力ができ、かつ分析結果２１を、インターネット５１を介して自己のユーザ端末５２へ送信させて、自己のユーザ端末５２で確認できる。したがって、テキスト分析システム５０の利便性を大幅に向上できる。
【００６４】
【発明の効果】
以上説明したように、本発明のテキスト分析方法、テキスト分析プログラム、及びテキスト分析システムにおいては、ユーザにとって簡単な操作で自己専用の概念定義辞書をシステム内に設定でき、入力された各ユーザのテキストに対して該当ユーザが意図する分析を実施でき、多くのユーザに対応可能となり、利便性を大幅に向上できる。
【図面の簡単な説明】
【図１】本発明の第１実施形態に係るテキスト分析方法、及びテキスト分析プログラムが適用されるテキスト分析システムの概略構成を示すブロック図
【図２】同実施形態のテキスト分析システム内に形成された概念親辞書の記憶内容を示す図
【図３】同実施形態のテキスト分析システム内に形成された概念定義子辞書の記憶内容を示す図
【図４】同実施形態のテキスト分析システム内に形成された概念定義子辞書リストの記憶内容を示す図
【図５】同実施形態のテキスト分析システム内に形成された概念定義分析辞書の記憶内容を示す図
【図６】同実施形態のテキスト分析システムにおける概念定義子辞書の作成動作を示す流れ図
【図７】同実施形態のテキスト分析システムの表示器に表示された概念定義子辞書作成画面を示す図
【図８】同じく概念定義子辞書作成画面を示す図
【図９】同じく概念定義子辞書作成画面を示す図
【図１０】同実施形態のテキスト分析システムにおけるテキスト分析処理動作を示す流れ図
【図１１】
同実施形態のテキスト分析システムの表示器に表示されたテキストマイニング実行画面を示す図
【図１２】同実施形態のテキスト分析システムに入力される分析対象のテキストを示す図
【図１３】同実施形態のテキスト分析システムにおける分析結果を示す図
【図１４】本発明の第２実施形態のテキスト分析システムが組込まれた通信システムを示す模式図
【図１５】従来のテキスト分析システムを示す模式図
【図１６】同従来のテキスト分析システムに組込まれた概念定義辞書の記憶内容を示す図
【符号の説明】
３…概念
４…分類内容
１０、５０…テキスト分析システム
１１…概念定義辞書作成装置
１２…テキスト分析装置
１３…概念定義子辞書作成部
１４…概念親辞書
１５…概念定義子辞書
１６…概念定義子辞書リスト
１７…概念定義分析辞書作成部
１８…概念定義分析辞書
１９…分析対象テキスト
２０…テキストマイニング実行部
３０…概念定義子辞書作成画面
４１…テキストマイニング実行画面
５１…インターネット
５２…ユーザ端末
【図１】
2004272683.tif 000003
【図２】
2004272683.tif 000004
【図３】
2004272683.tif 000005
【図４】
2004272683.tif 000006
【図５】
2004272683.tif 000007
【図６】
2004272683.tif 000008
【図７】
2004272683.tif 000009
【図８】
2004272683.tif 000010
【図９】
2004272683.tif 000011
【図１０】
2004272683.tif 000012
【図１１】
2004272683.tif 000013
【図１２】
2004272683.tif 000014
【図１３】
2004272683.tif 000015
【図１４】
2004272683.tif 000016
【図１５】
2004272683.tif 000017
【図１６】
2004272683.tif 000018